(57)【要約】【課題】  決められたスペースであっても、並べて吊下げられた物品どうしの干渉を防止し得、物品の扱い易さを確保し得るフックの提供。【解決手段】  物品の陳列に用いられる什器に保持され、前記物品を吊下げるための什器用フックであって、前記什器に着脱自在に取付けられる部分である取付体と、該取付体から突出する部分であるフック本体とを備え、前記取付体は、前記フック本体が取付けられる支持部分を備え、前記フック本体は、前記支持部分に一体的に取付けられる基部と、該基部から前方へ向けて延設された杆状の第一延設部と、該第一延設部の先端から延設されており、左右方向に延設される吊持部を有する第二延設部とを備え、前記吊持部の左右方向の中心部は、前記取付体の重心の左右方向位置に一致している構成。【選択図】  図１
0003177092.tif 000002
【実用新案登録請求の範囲】
【請求項１】
物品の陳列に用いられる什器に保持され、前記物品を吊下げるための什器用フックであって、
前記什器に着脱自在に取付けられる部分である取付体と、該取付体から突出する部分であるフック本体とを備え、
前記取付体は、前記フック本体が取付けられる支持部分を備え、
前記フック本体は、前記支持部分に一体的に取付けられる基部と、該基部から前方へ向けて延設された杆状の第一延設部と、該第一延設部の先端から延設されており、左右方向に延設される吊持部を有する第二延設部とを備え、
前記吊持部の左右方向の中心部は、前記取付体の重心の左右方向位置に一致していることを特徴とする什器用フック。
【請求項２】
吊持部は、第一延設部の延設方向に対して斜め前方に傾斜されていることを特徴とする請求項１記載の什器用フック。
【請求項３】
支持部分は取付体の前面を含み、
基部は、前記前面に対して左右何れか一方向に向けてはみ出して延設され、
第一延設部は、前記基部のはみ出し端から前方に向けて延設され、
吊持部は、第一延設部の先端から前記一方向と逆の方向に向けて延設されていることを特徴とする請求項１または請求項２記載の什器用フック。
【請求項４】
第二延設部は、第一延設部の先端から左右何れか一方向に向けて延設される側方延設部と、該側方延設部の先端から下方に向けて延設される下方延設部とを備え、吊持部は下方延設部の下端から延設されていることを特徴とする請求項１記載の什器用フック。
【請求項５】
支持部分は取付体の前面を含み、基部は、前記前面に上下方向に向けて延長されていることを特徴とする請求項１または請求項４記載の什器用フック。
【考案の詳細な説明】
【技術分野】
【０００１】
本考案は、商品等の物品の陳列に用いられる什器において、該什器に保持されることで物品を吊下げるために用いられるフックに関する。
【背景技術】
【０００２】
下記特許文献１には、フック本体（吊下具主体）と、什器（支持台）が備えた横杆に取付けられる取付体とを備えたフックが開示されている。フック本体は、平面視して取付体から斜め前方へ向けて直線状に延設された基部側本体部と、基部側本体部の先端から、基部側本体部とは反対方向の斜め前方に向けて直線状に延設された先端側本体部とを備える。そして、フック本体は、その全体として、取付体に対して側方（左右方向）にずれた位置に配置されている。
【０００３】
このようなフックでは、基部側本体部あるいは先端側本体部に物品を吊下げるようにして、物品が店頭等に陳列される。
【先行技術文献】
【特許文献】
【０００４】
【特許文献１】実開昭６０−８３３６６号公報
【考案の概要】
【考案が解決しようとする課題】
【０００５】
上記従来のフックでは、フック本体は、その全体として、取付体に対して側方にずれた位置に配置されている。このため、基部側本体部あるいは先端側本体部に物品を吊下げるようにすると、物品の重みによってフック全体が傾斜してしまい、その物品が、什器に並べて取付けられたフックに吊下げられた物品と干渉し合うといった現象が発生して、物品が扱いにくくなる。
【０００６】
そこで本考案は、決められたスペースであっても、並べて吊下げられた物品どうしの干渉を防止し得、物品の扱い易さを確保し得る什器用フックの提供を目的とする。
【課題を解決するための手段】
【０００７】
本考案は、物品の陳列に用いられる什器に保持され、前記物品を吊下げるための什器用フックであって、前記什器に着脱自在に取付けられる部分である取付体と、該取付体から突出する部分であるフック本体とを備え、前記取付体は、前記フック本体が取付けられる支持部分を備え、前記フック本体は、前記支持部分に一体的に取付けられる基部と、該基部から前方へ向けて延設された杆状の第一延設部と、該第一延設部の先端から延設されており、左右方向に延設される吊持部を有する第二延設部とを備え、前記吊持部の左右方向の中心部は、前記取付体の重心の左右方向位置に一致していることを特徴としている。
【０００８】
上記構成のように、吊持部の左右方向の中心部は、取付体の重心の左右方向位置に一致していることにより、吊持部に物品を吊持させることでその重さがフック本体に働いても、取付体に対してアンバランスな力が働く状態を回避して、フック全体が傾斜するのを効果的に防止できる。
【０００９】
本考案の什器用フックでは、吊持部は、第一延設部の延設方向に対して斜め前方に傾斜されている構成を採用することができる。該構成によれば、物品が吊持部に吊持されると、物品は吊持部の傾斜に対して直交する方向に倣って吊持される。
【００１０】
本考案の什器用フックでは、支持部分は取付体の前面を含み、基部は、前記前面に対して左右何れか一方向に向けてはみ出して延設され、第一延設部は、前記基部のはみ出し端から前方に向けて延設され、吊持部は、第一延設部の先端から前記一方向と逆の方向に向けて延設されている構成を採用することができる。
【００１１】
該構成によれば、基部を前面に対して左右何れか一方向に向けてはみ出して延設した分だけ、吊持部の長さを長くさせられ、吊持部の長さを長くした分だけ、吊持させる物品の量を増加させられる。
【００１２】
本考案の什器用フックでは、第二延設部は、第一延設部の先端から左右何れか一方向に向けて延設される側方延設部と、該側方延設部の先端から下方に向けて延設される下方延設部とを備え、吊持部は下方延設部の下端から延設された構成を採用することができる。
【００１３】
上記構成のように、下方延設部を備えることで、側方延設部を回避して吊持部を設けることができ、しかも下方延設部によって吊持部が側方延設部に対して下方に離間するから、吊持部に物品を吊持しても、側方延設部と物品とが干渉し合わない。
【００１４】
本考案の什器用フックでは、支持部分は取付体の前面を含み、基部は、前記前面に上下方向に向けて延長された構成を採用することができる。該構成によれば、第一延設部の上方に、実用的なスペースが確保される。
【考案の効果】
【００１５】
本考案の什器用フックは、吊持部の左右方向の中心部は、取付体の重心の左右方向位置に一致していることにより、吊持部に物品を吊持させることでその重さがフック本体に働いても、取付体に対してアンバランスな力が働く状態を回避して、フック全体が傾斜するのを効果的に防止でき、もって、決められたスペースであっても、並べて吊下げられた物品どうしの干渉を防止し得、物品の扱い易さを確保し得る。
【図面の簡単な説明】
【００１６】
【図１】本考案の第一の実施形態を表す什器用フックの全体構成の斜視図である。
【図２】同什器用フックの平面図である。
【図３】同什器用フックの底面図である。
【図４】同什器用フックの側面図である。
【図５】同什器用フックの正面図である。
【図６】同什器用フックの使用状態の斜視図である。
【図７】本考案の第二の実施形態を表す什器用フックの全体構成の斜視図である。
【図８】同什器用フックの平面図である。
【図９】同什器用フックの底面図である。
【図１０】同什器用フックの側面図である。
【図１１】同什器用フックの正面図である。
【図１２】同什器用フックの使用状態の斜視図である。
【考案を実施するための形態】
【００１７】
以下、図１ないし図６を参照しつつ、本考案の第一の実施形態に係る什器用フック１を説明する。図１および図６に示すように、什器用フック１は、什器２に着脱自在に取付けられ、商品である物品３を吊下げてこれを陳列するために用いられる。この場合、図６に示すように、物品３として、例えばパッケージ化された、パソコン周辺機器のタブレットが挙げられる。什器２は、外枠４と、外枠４に両端部を支持された複数本の横杆５とを備える。
【００１８】
什器用フック１は、什器２の横杆５に着脱自在に取付けられる部分である取付体６と、取付体６から突出する部分であるフック本体７とを備える。取付体６は、フック本体７の一端部である基部８を、溶接によって一体的に支持する支持部分を備える。
【００１９】
取付体６は、前板部６０、後板部６１、および前板部６０と後板部６１とを上端で連結する天板部６２によって形成されている。このような取付体６は、左右方向に所定の幅Ｌを有する（例えば、図２参照）。この所定の幅Ｌは、基部８を支持するのに充分な幅として特定される。なお、支持部分として、前板部６０が相当する。このような取付体６は、什器２の横杆５に、その上方から引掛けるようにすることで、横杆５に支持させることができる。
【００２０】
フック本体７は、前記基部８と、第一延設部７１と、第二延設部７２とを備える。基部８は杆状に形成され、前板部６０に、側方（左右方向）に沿うよう固定されている。基部８の先端８０は、前板部６０の端からさらに側方（図２では左方）に突出するよう延長された位置にある。
【００２１】
第一延設部７１は杆状に形成され、基部８の先端８０から前板部６０に対して前方に向けて延設されている。第二延設部７２は、すなわち、第一延設部７１の前端から側方（基部８側）に向けて延設される側方延設部である。側方に向けて延設されるとは、具体的に、第二延設部７２は、第一延設部７１の前端から、先端ほど前方に位置するよう傾斜して形成されていることである。
【００２２】
第二延設部７２は、物品３を吊持する部分である。そして図１〜３、図５に示すように、第二延設部７２の一部（長手方向途中部分）は、取付体６にその前方で対向して、取付体６の左右方向の所定の幅Ｌ内（左右方向領域内）に位置付けられている。また、第二延設部７２の長手方向中心部７２ｂは、所定の幅Ｌの中心部と略一致している。また、第二延設部７２の長手方向中心部７２ｂは、取付体６の重心Ｇの左右方向位置に一致している。そして、長手方向中心部７２ｂは、重心Ｇを含む垂直面内で重心Ｇの前方にある。
【００２３】
基部８と第二延設部７２との間には、物品３の一部分（例えばタブレットの、被吊持部分に対する一方側部分）を、余裕をもって入れられる吊持用空間７３が形成されている。なお、第二延設部７２の先端部７２ａは、斜め上方に向くよう傾斜されている。先端部７２ａは、取付体６の左右方向の所定の幅Ｌ内から右方へ外れた位置にある。
【００２４】
什器用フック１は、さらに、プライスカードＣ等（図６参照）を装着させるためのカード装着用杆７４を備える。カード装着用杆７４は、取付体６の天板部６２に溶接によって固定されている。カード装着用杆７４は、天板部６２の左右方向中心部から、前方に向けて延設されている。カード装着用杆７４の先端部７２ａは、斜め上方を向くよう傾斜されている。なお、図２に示すように、什器用フック１を平面視して、カード装着用杆７４は、第二延設部７２には至らない長さに設定されている。
【００２５】
上記構成の什器用フック１は、その取付体６を什器２の横杆５に上方から引掛けることで、横杆５に保持される。また什器用フック１は、一個ではなく、吊持する物品３の種類やそのサイズ、あるいは個数に応じて、一般的には横杆５に複数個配置される。
【００２６】
物品３は、横杆５に保持された什器用フック１の、フック本体７の第二延設部７２に吊持される。具体的に物品３は、そのパッケージに形成された挿通孔３ａを、第二延設部７２に挿通させることで、第二延設部７２に吊持される。第二延設部７２は、第一延設部７１の前端から、先端ほど前方に位置するよう傾斜して延設されているから、所定の長さが確保されていて、複数個の物品３を吊持することができる。
【００２７】
第二延設部７２は、第一延設部７１の前端から、先端ほど前方に位置するよう傾斜して延設されているから、第二延設部７２に吊持された物品３は、第二延設部７２の傾斜方向に対して略直交する方向の鉛直面内で保持される。
【００２８】
したがって、パッケージ化された、パソコン周辺機器のタブレットのような物品３では、その前面（例えばＢ５、Ａ４サイズに相当する大きさ）が正面に相当するような吊持姿勢に比べて、吊持された物品３が傾斜している分だけ、左右方向における物品３の占有領域が狭くて済む。そうなると、複数の什器用フック１を横杆５に支持させて各什器用フック１に物品３を吊持する場合では、最前面に吊持された物品３のパッケージ前面を、什器の正面に位置する需要者であっても認識しうるため、パッケージ前面の販促効果を減殺せずに、より多くの数の物品３を吊持することができる。
【００２９】
近年では、例えば店頭のディスプレイにおいて、同じ種類の物品３を多数の物品３を吊持する傾向から、より多くの種類の物品３を吊持する傾向に移りつつあるが、本考案の什器用フック１によれば、左右方向における物品３の占有領域が狭くて済むから、近年の傾向に応じて、より多くの種類の物品３を展示することができる。
【００３０】
また、第二延設部７２の一部は、取付体６にその前方で対向して、取付体６の左右方向の所定の幅Ｌ内に位置付けられている。また、第二延設部７２の長手方向中心部は、所定の幅Ｌの中心部と略一致している。しかしながら、第二延設部７２は、少なくとも第一延設部７１の長さ分だけ、前板部６０から前方に離間しており、この構成により、基部８と第二延設部７２との間には、物品３の一部分を、余裕をもって入れられる吊持用空間７３が形成されている。このため、第二延設部７２に物品３を吊持した状態で、物品３が基部８と干渉しあうこともない。
【００３１】
しかも、第二延設部７２の長手方向中心部７２ｂは、所定の幅Ｌの中心部と略一致している構成、第二延設部７２の長手方向中心部７２ｂは、取付体６の重心Ｇの左右方向位置に一致している構成により、複数の物品３を第二延設部７２に支持させても、物品３が、什器用フック１を、取付体６を中心として左右方向に傾かせる重量として働くことを、効果的に抑制できる。換言すれば、物品３の重量は、取付体６を中心として、取付体６の前方において下方に働く力となるため、物品３の重量が、什器用フック１に、取付体６を中心として左右方向に傾かせる重量として働くことを、効果的に抑制できる。
【００３２】
次に、本考案の第二実施形態を図７ないし図１２を参照しつつ説明する。なお、図１２に示すように、什器２は、外枠４と、外枠４に両端部を支持された複数本の横杆５とを備えることは、第一の実施形態と同様である。また、什器用フック１０における取付体６の構成について、前板部６０、後板部６１、天板部６２を備える構成であることは、第一の実施形態と同様である。
【００３３】
フック本体１１は、基部１２と、第一延設部１２１と、第二延設部１２２とを備える。基部１２は杆状に形成され、前板部６０の左右方向中心部に、縦方向（上下方向）に沿うよう固定されている。基部１２は前板部６０と略等しい長さ（高さ）に形成され、前板部６０の範囲内に納められている。
【００３４】
第一延設部１２１は杆状に形成され、基部１２の下端１２０から前板部６０に対して前方に向けて延設されている。
【００３５】
第二延設部１２２は、側方延設部１２３と、下方延設部１２４と、吊持部１２５とを備える。側方延設部１２３は杆状に形成され、第一延設部１２１の前端から略直角に側方に向けて折曲されている。下方延設部１２４は杆状に形成され、側方延設部１２３の先端から下方に向けて略直角に折曲されている。特に、吊持部１２５は、物品３を吊持する部分である。吊持部１２５は杆状に形成され、下方延設部１２４の下端から側方延設部１２３とは反対方向に向けて略直角に折曲されている。
【００３６】
図７〜９、図１２に示すように、吊持部１２５の一部（長手方向途中部分）は、取付体６にその前方で対向する位置に対して下方に位置ずれしており、しかも平面視した場合に、図８に示すように、取付体６の左右方向の所定の幅Ｌ内（左右方向領域内）に位置付けられている。そして、吊持部１２５の長手方向中心部は、所定の幅Ｌの中心部と略一致している。また、吊持部１２５の長手方向中心部１２５ｂは、取付体６の重心Ｇの左右方向位置に一致している。
【００３７】
基部１２と吊持部１２５との間には、物品３の一部分（例えばタブレットの、被吊持部分に対する一方側部分）を、余裕をもって入れられる第一吊持用空間１３が形成されている。
【００３８】
また、下方延設部１２４を有していることにより、側方延設部１２３と吊持部１２５との間には、物品３の一部分（例えばタブレットの、被吊持部分の上側部分）を、余裕をもって入れられる第二吊持用空間１４が形成されている。なお、吊持部１２５の先端部１２５ａは、斜め上方に向くよう傾斜されている。先端部１２５ａは、取付体６の左右方向の所定の幅Ｌ内から右方へ外れた位置にある。
【００３９】
什器用フック１０は、さらに、プライスカードＣ等を装着するためのカード装着用杆１５を備える。カード装着用杆１５は、基部１２の上端から前方へ延長されるよう、基部１２に一体的に形成されている。カード装着用杆１５の先端部１５ａは、斜め上方を向くよう傾斜されている。なお、図１０に示すように、什器用フック１０を側面視して、カード装着用杆１５は、第二延設部１２２には至らない長さに設定されている。
【００４０】
上記構成の什器用フック１０は、第一の実施形態と同様に、取付体６を什器２の横杆５に上方から引掛けることで、横杆５に保持される。また什器用フック１０は、一個ではなく、吊持する物品３の種類やそのサイズ、あるいは個数に応じて、一般的には横杆５に複数個配置される。
【００４１】
物品３は、横杆５に保持された什器用フック１０のフック本体１１の第二延設部１２２、特に吊持部１２５に吊持される。具体的に物品３は、そのパッケージに形成された挿通孔３ａを、吊持部１２５に挿通させることで、吊持部１２５に吊持される。そして吊持部１２５は、側方延設部１２３を設けたうえで下方延設部１２４の下端から側方に延設されているから、所定の長さが確保されていて、したがって、複数個の物品３を吊持することができる。
【００４２】
吊持部１２５は、下方延設部１２４の下端から側方に向けて延設されているから、吊持部１２５に吊持された物品３は、吊持部１２５の延設方向に対して略直交する方向の鉛直面内で保持される。
【００４３】
したがって、パッケージ化された、パソコン周辺機器のタブレットのような物品３では、その前面が正面に相当するような吊持姿勢に比べて、吊持された物品３がその側面を前側にして吊持されるから、左右方向における物品３の占有領域が狭くて済む。そうなると、複数の什器用フック１０を横杆５に支持させて各什器用フック１０に物品３を吊持する場合では、より多くの数の物品３、あるいはより多くの種類の物品３を吊持することができる。
【００４４】
また、吊持部１２５の一部は、取付体６にその前方で対向して、取付体６の左右方向の所定の幅Ｌ内に位置付けられている。そして、吊持部１２５の長手方向中心部は、所定の幅Ｌの中心部と略一致している。しかしながら、吊持部１２５は、少なくとも第一延設部１２１の長さ分だけ、取付体６の前板部６０から前方に離間している。さらに、第一延設部１２１は基部１２の下端１２０から前方に向かって延設され、吊持部１２５は第一延設部１２１よりも下方延設部１２４の長さ分だけ第一延設部１２１に比べて下方に位置している。
【００４５】
この構成により、基部１２と吊持部１２５の間には、物品３の一部分を、余裕をもって入れられる第一吊持用空間１３が形成されているから、物品３が基部８、取付体６と干渉し合うこともない。
【００４６】
さらに、側方延設部１２３と吊持部１２５とは、下方延設部１２４の長さ分だけ上下方向に離間している。このため、側方延設部１２３と吊持部１２５との間には、物品３の一部分を、余裕をもって入れられる第二吊持用空間１４が形成されているから、物品３の上部が側方延設部１２３と干渉し合うこともない。
【００４７】
しかも、吊持部１２５の一部が、取付体６にその前方で対向して、取付体６の左右方向の所定の幅Ｌ内に位置付けられ、吊持部１２５の長手方向中心部は、所定の幅Ｌの中心部と略一致し、吊持部１２５の長手方向中心部１２５ｂは、取付体６の重心Ｇの左右方向位置に一致している構成により、複数の物品３を吊持部１２５に支持させても、物品３の重量が、什器用フック１０に、取付体６を中心として左右方向に傾かせる重量として働くことを、効果的に抑制できる。換言すれば、物品３の重量は、取付体６を中心として、取付体６の前方において下方に働く力となるため、物品３が、什器用フック１０を、取付体６を中心として左右方向に傾かせる重量として働くことを、効果的に抑制できる。
【００４８】
本考案は、その主旨を逸脱しない範囲で種々変形が可能である。その他、各部の具体的構成についても上記実施形態に限られるものではない。例えば、第二の実施形態の変形例として、第一延設部１２１を、基部１２の下端１２０から、斜め前方（左前方）に延設させるようにして、第一延設部１２１の先端に側方延設部１２３を形成するようにしてもよい。このようにすることで、吊持部１２５の長さをさらに長くでき、しかも物品３を吊持した状態で、物品３が、什器用フック１０を、取付体６を中心として左右方向に傾かせる重量として働くことを、効果的に抑制できる。
【００４９】
上記第一実施形態では、基部８の先端８０は、前板部６０の端からさらに左方に突出するよう延長された位置に設定したが、前板部６０の端から右方に突出するよう延長させてもよい。この場合、第二延設部７２は、右方に突出した端から前方へ向けて延長され、第二延設部７２は、第一の実施形態とは反対方向に向けて延長される。また、第二の実施形態において、第二延設部１２２の、第一延設部１２１に対する折曲方向は、逆方向であってもよい。
【符号の説明】
【００５０】
１…什器用フック、２…什器、３…物品、６…取付体、６０…前板部、６１…後板部、６２…天板部、７…フック本体、７１…第一延設部、７２…第二延設部、７３…吊持用空間
【図１】
0003177092.tif 000003
【図２】
0003177092.tif 000004
【図３】
0003177092.tif 000005
【図４】
0003177092.tif 000006
【図５】
0003177092.tif 000007
【図６】
0003177092.tif 000008
【図７】
0003177092.tif 000009
【図８】
0003177092.tif 000010
【図９】
0003177092.tif 000011
【図１０】
0003177092.tif 000012
【図１１】
0003177092.tif 000013
【図１２】
0003177092.tif 000014